(57)【要約】【課題】操作性に優れた生体情報取得装置を提供する。【解決手段】タッチパネル１のパネル板１ａに設定された情報取得領域４に指を置くよう促すメッセージを表示し、情報取得領域４におかれた指１０をタッチパネル１のＬＥＤ発光素子２が発する光で照射して、カメラ５により前記指を撮影することで指の静脈パターンを取得する。【選択図】図１
2008130024.tif 000002
【特許請求の範囲】
【請求項１】
パネル板の周囲にパネル板上の押下位置を検知するためのＬＥＤを配置したタッチパネルを備え、
前記パネル板上に置かれた指を前記ＬＥＤが発する光で照射して、撮影手段により前記指を撮影することで指の静脈パターンを取得することを特徴とする生体情報取得装置。
【請求項２】
請求項１記載の生体情報取得装置において、
前記タッチパネルのＬＥＤは発光素子と受光素子が交互に配置されていることを特徴とする生体情報取得装置。
【請求項３】
請求項１記載の生体情報取得装置において、
パネル板に向かって右下位置に指を置くための情報取得領域を設定し、
該情報取得領域は日本人の成人の指の最大幅の指が置ける幅で、日本人の成人の指先から最初の関節までの部分が最大長の指でも置くことができる長さであることを特徴とする生体情報取得装置。
【請求項４】
請求項１乃至請求項３のいずれか１項に記載の生体情報取得装置において、
前記タッチパネルは表示部の上に配置され、前記前記撮影手段としてのカメラは前記表示部の下側に配置したことを特徴とする生体情報取得装置。
【請求項５】
請求項４記載の生体情報取得装置において、
表示部に静脈認証開始を意味する文言を表示し、その文言が押下されたことを検知したとき、前記情報取得領域に指を置くよう促すメッセージを表示して、情報取得領域に指が置かれたことを検知したとき前記カメラが指を撮影することを特徴とする生体情報取得装置。
【発明の詳細な説明】
【技術分野】
【０００１】
本発明は、タッチパネルを供えた機器に装備する生体情報取得装置に関するもので、特にＬＥＤ発光部とＬＥＤ受光部により位置検出を行うタイプのタッチパネルを利用して生体情報を取得する生体情報取得装置に関するものである。
【背景技術】
【０００２】
金融機関の営業店等に設置されるＡＴＭ（自動取引装置）では、キャッシュカード（取引媒体）を使用して取引を行う際、暗証番号により本人確認を行っていたが、近年横行しているキャッシュカードの偽造、暗証番号の盗撮等による不正取引の対策としてキャッシュカードのＩＣカード化、生体情報を利用した本人確認方法が採用されてきている。
ＩＣカードは磁気カードに比べて偽造が困難であり、また生体情報は一人一人異なる特徴を有する身体の一部から取得される情報であるため、盗撮等による情報漏洩の心配がないことから、最近ではＡＴＭにおいてＩＣカードによるキャッシュカードの使用、及び暗証番号と生体情報の併用による本人確認が主流となりつつある。
【０００３】
生体情報としては、指紋、静脈パターン、虹彩（アイリス）等、種々のものが提案されているが、情報取得の容易性等の観点から指静脈パターンまたは掌静脈パターンが多く採用される傾向にある。
指静脈パターンを取得する生体情報取得装置を備えた従来のＡＴＭとしては、例えば特許文献１に開示されたものがあり、また掌静脈パターンを取得する生体情報取得装置を備えた従来のＡＴＭとしては、例えば特許文献２に開示されたものがあり、いずれも生体情報取得装置がＡＴＭの操作面に装備されるタッチパネルの脇に設置されている。
【特許文献１】特開２００５−２５３９８８号公報（段落「００３６」、図７）  特開２００６−０１１９８８号公報（段落「００６２」〜「００６５」、図１８）
【発明の開示】
【発明が解決しようとする課題】
【０００４】
上述したように従来の技術においては、いずれも生体情報取得装置がタッチパネルの脇に設置されているため、生体情報取得装置の操作性がよくないという問題がある。
本発明は、このような問題を解決することを課題とする。
【課題を解決するための手段】
【０００５】
そのため本発明の生体情報取得装置は、パネル板の周囲にパネル板上の押下位置を検知するためのＬＥＤを配置したタッチパネルを備え、前記パネル板上に置かれた指を前記ＬＥＤが発する光で照射して、撮影手段により前記指を撮影することで指の静脈パターンを取得することを特徴とする。
【発明の効果】
【０００６】
このようにした本発明は、ＡＴＭの一番操作し易い位置に配置されたタッチパネル内に生体情報取得装置を構成しているため、操作性に優れるという効果が得られる。
【発明を実施するための最良の形態】
【０００７】
以下、図面を参照して本発明による生体情報取得装置の実施例を説明する。
【実施例】
【０００８】
図１は生体情報取得装置の実施例を示す平面図、図２は生体情報取得時の状態を示す説明図である。
図において１はタッチパネルで、ＡＴＭの操作面に設けられたＬＣＤ等の表示部９上に配置されたパネル板１ａと、このＬＥＤ発光素子２及びＬＥＤ受光素子３により構成されている。
【０００９】
このＬＥＤ発光素子２とＬＥＤ受光素子３はパネル板１ａの周囲四辺に沿って交互に配置されており、それぞれ平行な二辺のＬＥＤ発光素子２とＬＥＤ受光素子３とが互いに対向するようにしてあって、これによりＬＥＤ発光素子２を発光させるとその光が対向する受光素子３で受光されるようになっている。
タッチパネル１の一般的な機能は、キー入力機能で、表示部９に画面表示される各種のキーのうち、パネル板１ａ上から所望のキーを押下すると、その押下部分でＬＥＤ発光素子２の光が遮断されるため、その位置を検知することで押下されたキーに定義されている情報が入力されるものとなっている。例えば、取引選択画面で「出金」のキーをパネル板１ａ上から押下すると、その「出金」が入力されるものとなっている。
【００１０】
４はタッチパネル１に向かってその右下に設定された幅ａ、長さｂの情報取得領域で、幅ａは日本人の成人の最大幅の指を置くことができる幅（例えば、３０ｍｍ）、長さｂは日本人の成人の指先から最初の関節までの部分が最大長の指でも置くことができる長さ（例えば、４０ｍｍ）となっている。
５は撮影手段としてのカメラで、情報取得領域４に置かれた指１０を前記表示部の下側から撮影できるように配置されている。
【００１１】
図３は実施例の制御系を示すブロック図である。
６は制御部で、この制御部６には各ＬＥＤ発光素子２、各ＬＥＤ受光素子３、カメラ５、カード接続部７、記憶部８、表示部９等が接続されている。
カード接続部７はＡＴＭを利用する顧客のＩＣカード（取引媒体）を接続する部位で、ＩＣカードの記憶部には顧客の口座情報（、支店番号及び口座番号や氏名等）と共に顧客の指の静脈パターン情報が登録されている。
【００１２】
記憶部８はＡＴＭの動作を制御するための制御プログラムや表示部に表示する画面情報、本実施例では顧客の指の静脈パターンを取得するための制御プログラム等が記憶されており、制御部６はこの制御プログラムによりＬＥＤ発光素子２、ＬＥＤ受光素子３、及びカメラ５を制御して、顧客の指の静脈パターンを取得し、カード接続部７によりＩＣカードと情報の授受を行うものとなっている。
【００１３】
上述した構成の作用について説明する。
顧客がＡＴＭで取引を行う場合、通常は表示部９に表示された取引選択画面の中から希望する取引をタッチパネル１で選択した後、キャッシュカードとしてのＩＣカードをカード挿入口に挿入してカード接続部７に接続すると、制御部６からの要求に応じてＩＣカード側の制御部が記憶部から口座情報を読み出して制御部６に送信する。
【００１４】
その後、表示部９に表示される暗証番号入力画面に従って顧客はタッチパネル１で数字４桁の暗証番号を入力し、更に表示部９に表示される案内に従って顧客が指１０をタッチパネル１に情報取得領域４に置くと、制御部６はタッチパネル１のＬＥＤ発光素子２を光源としてカメラ５により指の静脈パターンを撮影させて静脈パターン情報を取得する。
この暗証番号と静脈パターン情報により本人確認が行われるが、暗証番号と静脈パターン情報の取得順序は逆であってもよい。
【００１５】
この静脈パターン情報の取得と本人確認する手順について、更に詳細に説明する。
まず、表示部９の中央部に「生体認証開始」を意味する文言のボタンが表示され、顧客がパネル板１ａを介してそのボタンを指で押下すると、その押下の検知をトリガーとして制御部６はカメラ５に撮影準備を指示する。
そして制御部６は表示部９の情報取得領域４に指の輪郭を表示する等、推奨される指の置き方を表示し、また表示部９の中央部に情報取得領域４に表示された指の置き方に従って指を置くように促すメッセージを表示する。
【００１６】
このメッセージに従って顧客が情報取得領域４に表示されている指の輪郭等に合わせて指１０を置くと、情報取得領域４を通るＬＥＤ発光素子２からの光が遮断されるので、制御部６は情報取得領域４に指が置かれたことを検知し、カメラ５に撮影を行わせる。
このとき情報取得領域４に置かれている指１０は、情報取得領域４を通るＬＥＤ発光素子２からの光によって照射されているので指の静脈パターンが画像として撮影される。
【００１７】
カメラが撮影した画像は制御部６に送られ、制御部６はその画像が指の静脈パターンの画像か否かを判断し、静脈パターンの画像であれば制御部６はそれを電子データ化して静脈パターン情報としてカード接続部７に接続されたＩＣカードに送信する。
ＩＣカードの制御部はＡＴＭから送られてきた静脈パターン情報と記憶部に格納されている静脈パターン情報とを照合し、一致するかしないかを判定して、その判定結果をＡＴＭの制御部６に返信する。
【００１８】
制御部６はＩＣカードの制御部から静脈パターン情報が一致した旨の判定結果を受けると、その判定結果を表示部９に表示し、情報取得領域４を通常のタッチパネルとして動作するように切り替える。
以上説明した実施例によると、タッチパネルに情報取得領域を設定し、この情報取得領域上に指を置くように誘導して、タッチパネルに装備されているＬＥＤ発光素子を光源としてカメラで指の静脈パターンを撮影するようにしているため、タッチパネル内に生体情報取得装置を構成することができ、操作性が向上するという効果が得られ、またＡＴＭの操作面の面積を有効に利用することができる。
【００１９】
また、タッチパネルはＡＴＭの一番操作し易い位置に配置されており、顧客はこのタッチパネル上に指を置くだけ済むので、操作性がよく、更に情報取得領域上に推奨される指の置き方を表示し、表示された所に指を置くように誘導するのでこの点でも顧客の操作性も向上させることが可能になる。
尚、上述した実施例では、タッチパネルの右下に情報取得領域を設定したが、タッチパネルの範囲内であればどの部分に設定してもよい。
【００２０】
また、指の静脈パターンを撮影するカメラを可動式にして、任意の領域で撮影するようにしてもよい。
また、上述した実施例では、カメラで撮影した指の静脈パターンの画像をデータ化した静脈パターン情報をＩＣカードに送り、ＩＣカードから静脈パターン情報の認証結果を受け取るのとした、ＩＣカードに記憶部に格納された静脈パターン情報を受取り、カメラで撮影した指の静脈パターンによる情報と照合して認証を行うようにしてもよい。
【００２１】
また、上述した実施例では、指の静脈パターンを撮影して認証する例を説明したが、掌の静脈パターンを撮影して認証することも可能である。
更に、上述した実施例では、ＡＴＭのタッチパネルを利用して生体情報取得装置を構成するものとして説明したが、タッチパネルを有する装置であれば、例えばパーソナルコンピュータなどにも適用可能である。
【図面の簡単な説明】
【００２２】
【図１】第１の実施例を示す平面図
【図２】生体情報取得時の状態を示す説明図
【図３】実施例の制御系を示すブロック図
【符号の説明】
【００２３】
１    タッチパネル
１ａ  パネル板
２    ＬＥＤ発光素子
３    ＬＥＤ受光素子
４    情報取得領域
５    カメラ
６    制御部
７    カード接続部
８    記憶部
９    表示部
１０  指
【図１】
2008130024.tif 000003
【図２】
2008130024.tif 000004
【図３】
2008130024.tif 000005